(57)【要約】【課題】  容器内収納のゲル状物等を、破損することなく、完全な形状を保ったままで容易に取出しできる容器を提案する。【解決手段】  底壁２外周から周壁３を起立する容器体１と、容器体上面を閉塞させて、周壁上端面へ剥離可能に貼着させた頂壁９とを有し、周壁上端一部から摘み部５を垂設して、該摘み部から、摘み部下方の周壁下端部分を通って該周壁下端と対向する他方周壁下端部分までを、破断可能な除去用帯板部６とした。【選択図】  図１
2005212854.tif 000002
【特許請求の範囲】
【請求項１】
底壁２外周から周壁３を起立する合成樹脂製の容器体１と、該容器体周壁３の上端面へ剥離可能に貼着させた、周壁３上面を閉塞する頂壁９とを有し、
周壁上端一部へ摘み部５を付設し、該摘み部下方の周壁部分下端までと該周壁部分下端から該周壁部分下端と対向する周壁下端部分までの周壁部分および底壁部分とを除去用帯板部６として、上記摘み部強制引出しで除去用帯板部６を除去可能に形成した
ことを特徴とするゲル状物等収納容器。
【請求項２】
上記周壁上端に外向きフランジ４を付設して周壁３の除去用帯板部６上端外方の外向きフランジ部分も除去用帯状板部６の一部となし、かつ該一部先端から摘み片５を垂下させた
ことを特徴とする、請求項１記載のゲル状物等収納容器。
【請求項３】
上記除去用帯板部６を、該帯板部先端上方の周壁３部分上端まで延長した
ことを特徴とする請求項１又は２記載のゲル状物等収納容器。
【請求項４】
上記容器体１の除去用帯板部６を、該帯板部両側の容器体部分に対して異材質のプラスチック材料で形成した
ことを特徴とする請求項３記載のゲル状物等収納容器。
【発明の詳細な説明】
【技術分野】
【０００１】
本発明は収納容器を外して収納物の原形を損なわないままで取出すことが可能に設けたゲル状物等収納容器に関する。
【背景技術】
【０００２】
ゲル状食品収納容器として、凹球面状で上端面開放の容器体内へゲル状食品を収納させて容器体上面を頂壁で閉塞させ、又容器体底部から棒状に突出された突起部を押すと突起部基端に周設した破断用線が切断されてその容器体に外気流入孔が形成され、すると容器体内面と、収納されているゲル状食品との間に外気が入って、容易にゲル状食品を取出し可能とした容器が知られている。
【０００３】
しかし上記棒状突起部は小さく、除去し難いため、容器体底壁の外周部から複数の脚を垂下させ、これ等脚下端よりも上方に位置させて容器体底面から板部を垂下させ、該板押圧により外気流入孔が開口できるようにした容器が知られている（特許文献１）。
【特許文献１】特開２００１−１３９０８７号公報
【発明の開示】
【発明が解決しようとする課題】
【０００４】
本発明は、上記ゲル状食品等の取出しが更に容易であるよう設けたものである。
【課題を解決するための手段】
【０００５】
第１の手段として底壁２外周から周壁３を起立する合成樹脂製の容器体１と、該容器体周壁３の上端面へ剥離可能に貼着させた、周壁３上面を閉塞する頂壁９とを有し、
周壁上端一部へ摘み部５を付設し、該摘み部下方の周壁部分下端までと該周壁部分下端から該周壁部分下端と対向する周壁下端部分までの周壁部分および底壁部分とを除去用帯板部６として、上記摘み部強制引出しで除去用帯板部６を除去可能に形成した。
【０００６】
第２の手段として上記第１の手段を有すると共に上記周壁上端に外向きフランジ４を付設して周壁３の除去用帯板部６上端外方の外向きフランジ部分も除去用帯状板部６の一部となし、かつ該一部先端から摘み片５を垂下させた。
【０００７】
第３の手段として、上記第１又は第２の手段を有すると共に上記除去用帯板部６を、該帯板部先端上方の周壁３部分上端まで延長した。
【０００８】
第４の手段として、上記第３の手段を有すると共に上記容器体１の除去用帯板部６を、該帯板部両側の容器体部分に対して異材質のプラスチック材料で形成した。
【発明の効果】
【０００９】
請求項１記載のようにすることで摘み部５を強く引くことで該摘み部下方の周壁下端までの一方周壁部分と該下端と対向する周壁下端部分までの底壁部分までとの除去用帯板部６が、該帯板部の末端を上記対向側の周壁下端と接続するままで切断されて容器体は大きく開口することとなるから、既述従来例のように小さな外気吸入孔を開口させる場合に比べて収納物の取出しが容易となり、例えば該容器内へアイスケーキのように容器内面から分離し難い物を収納させても、取出しできる。又開口後の容器体は、除去用帯板６の末端と連続していてそれ等は分離しないから、それ等が三箇に分離する場合に比べて廃棄処理が容易である。
【００１０】
請求項２のようにすることで、外向きフランジ４を頂壁９外周との貼着代とすることが出来る。
【００１１】
請求項３のようにすることで、収納物取出し時の開口面積を請求項１の場合よりも更に広くすることが出来、その収納物の取出しが容易となる。
【００１２】
請求項４のようにすることで、除去用帯板部６の除去が容易となる。即ち異材質のプラスチック相互の連結は容易に分離可能であるから、除去用帯板部６の両側に肉薄の破断用線を穿設する手間を省くことが出来る。
【発明を実施するための最良の形態】
【００１３】
以下図面について説明する。尚図示例において容器は倒立状態で示している。１は容器体で左右方向へ長い長方形状の底壁２外周から周壁３を起立する。その周壁上端には外向きフランジ４を付設してもよく、外向きフランジを付設しない場合はその周壁上端一部から直接に、又外向きフランジを付設した場合はその外方の外向きフランジ部分外縁から摘み部５を垂下する。図示例では、左右周壁上端部分一方の前後方向中間部から外向きフランジを介して摘み部５を垂下し、又その摘み部下方周壁部分下端までの外向きフランジおよび周壁部分と、該下端と対向する他方周壁部分下端までの底壁部分と、該他方周壁部分下端から該下端上方の周壁上端部分までの他方周壁部分とを除去用帯板部６とし、該帯板部両側に破断用薄肉線７を穿設している。
【００１４】
尚上記除去用帯板部６は、他方周壁部分下端までとし、他方周壁部分上端までの破断用薄肉線穿設は行わなくてもよい。周壁３は上方大径のテーパ状としている。
【００１５】
図３、４は底壁２下面および周壁３の左右両側部外面へ印刷模様等を付したタックシール８を貼着するよう設けたもので、そのシールは図４が示すように除去用帯板部６除去時には破れるよう設けておく。該タックシールの貼着は、容器底壁２を上面として店舗で陳列することもあるため、頂壁のほか、底壁へも行うものである。
【００１６】
既述除去用帯板部６は、該帯板部両側の合成樹脂製容器体部分に対して異材質のプラスチックで形成させてもよい。この場合は異材質の帯状プラスチック部分を、左右ないし前後方向中間の一端から他端まで横設したプラスチックシートを設けておき、該シートを真空成形等して本発明の容器体１と成形すればよい。この場合は除去用帯板部６両側に破断用薄肉線７を設けなくても、上記除去用帯板部６両側の引裂きを容易に行うことが出来る。上記各容器体は、平面長方形状のほか、円形、楕円等任意の形状とすることが出来る。
【００１７】
周壁３上端へは、頂壁９外周を剥離可能に貼着させる。外向きフランジ４を周壁上端へ付設した場合は、そのフランジ上面を頂壁９貼着用接着代とすることが出来る。頂壁９は耐水性を有する適宜シール材で形成すればよい。
【００１８】
上記容器内の収納物10を取出す場合は、摘み部５を強く引き、除去用帯板部を除いた後、周壁上端と頂壁とを剥離し、次いで容器体の二つ割りされた部分を前後に開けばよい。
【図面の簡単な説明】
【００１９】
【図１】本発明容器を下方からみた斜視図である。
【図２】図１容器の断面図である。
【図３】図１容器を変形例で示す斜視図である。
【図４】図３容器の除去用帯板部を若干開いた状態で示す斜視図である。
【符号の説明】
【００２０】
１  容器体                          ２  底壁
３  周壁                            ４  外向きフランジ
５  摘み部                          ６  除去用帯状部
７  破断用薄肉線                    ９  頂壁
【図１】
2005212854.tif 000003
【図２】
2005212854.tif 000004
【図３】
2005212854.tif 000005
【図４】
2005212854.tif 000006